(57)【要約】【課題】簡単に外壁パネルの外装材の外面と柱カバーの外装材の外面とが面一になるように施工できる柱カバー取り付け構造を提供する。【解決手段】外壁パネルＡを外壁パネルＡの側端面間に柱２が介在されるように建物躯体に建て込み、取り付け基板３の外面側に外壁パネルＡの外装材１と同じ厚さの外装材４を貼った柱カバーＢを隣り合う外壁パネルＡの間の柱２の外面側に配置し、外壁パネルＡの枠材５の側端面にカバー取り付け材６を取着し、柱カバーＢの取り付け片７をカバー取り付け材６の外面に沿わせて固着具８にて固着した柱カバーの取り付け構造である。これにおいて、カバー取り付け材６の外面側に外壁パネルＡの側端面から離れるほど屋内側に凹没する傾斜面１１を設けると共に柱カバーＢの取り付け片７を先端ほど屋外側に行くように傾斜させて取り付け片７を上記傾斜面１１に沿わせる。【選択図】        図１
2007056631.tif 000002
【特許請求の範囲】
【請求項１】
外面側に外装材を貼った外壁パネルを外壁パネルの側端面間に柱が介在されるように建物躯体に建て込み、取り付け基板の外面側に外壁パネルの外装材と同じ厚さの外装材を貼った柱カバーを隣り合う外壁パネルの間の柱の外面側に配置し、外壁パネルの枠材の側端面にこの側端面から側方に突出するようにカバー取り付け材を取着し、柱カバーの外装材の側端より突出する取り付け片をカバー取り付け材の外面に沿わせると共に取り付け片からカバー取り付け材に固着具を打入して柱カバーを取り付けた柱カバーの取り付け構造であって、カバー取り付け材の外面側に外壁パネルの側端面から離れるほど屋内側に凹没する傾斜面を設けると共に柱カバーの取り付け片を先端ほど屋外側に行くように傾斜させて取り付け片を上記傾斜面に沿わせたことを特徴とする柱カバーの取り付け構造。
【発明の詳細な説明】
【技術分野】
【０００１】
本発明は、建物躯体に外壁パネルを外壁パネルの側端面間に柱が介在されるように建て込んだときに柱の外面側を被うように柱カバーを取り付ける構造に関するものである。
【背景技術】
【０００２】
従来から建物の外壁を施工する場合、図６に示すように外面側に外装材１を貼った外壁パネルＡを外壁パネルＡの側端面間に柱２が介在されるように建物躯体に建て込み、取り付け基板３の外面側に外壁パネルＡの外装材１と同じ厚さの外装材４を貼った柱カバーＢを隣り合う外壁パネルＡの間の柱２の外面側に配置し、外壁パネルＡの枠材５の側端面にこの側端面から側方に突出するようにカバー取り付け材６を取着し、柱カバーＢの外装材４の側端より突出する取り付け片７をカバー取り付け材６の外面に沿わせると共に取り付け片７からカバー取り付け材６に固着具８を打入して柱カバーＢを取り付けていた。そして外壁パネルＡの外装材１の外面と柱カバーＢの外装材４の外面とを面一にするため、外装材４の裏面の両側に切り欠き９を設け、取り付け基板３の両側に屈曲部１０を介して取り付け片７を設けると共に取り付け片７を切り欠き９内に収めるようにしている（例えば，特許文献１参照）。つまり、単に取り付け基板３から側方に連出した取り付け片７をカバー取り付け材６に取り付けると、取り付け基板３の厚さ分だけ外装材４の外面が外装材１の外面より突出するため、切り欠き９に取り付け片７を収めることで外装材１の外面と外装材４の外面が面一になるようにしている。  
【特許文献１】特開平７−９７８４６号公報
【発明の開示】
【発明が解決しようとする課題】
【０００３】
ところが、上記従来例にあっては、外壁パネルＡの外装材１の外面と柱カバーＢの外装材４の外面とを面一にするため外装材４の裏面の両側に切り欠き９を切削等の加工で形成しなければならない。しかし外装材４は窯業系材料にて形成されており、切り欠き９を加工するのに手間がかかると共にコストがかかるという問題があった。
【０００４】
本発明は上記の従来の問題点に鑑みて発明したものであって、柱カバーの外装材の裏面に切り欠きを加工したりすることなく、簡単に外壁パネルの外装材の外面と柱カバーの外装材の外面とが面一になるように施工できる柱カバー取り付け構造を提供することを課題とするものである。
【課題を解決するための手段】
【０００５】
上記課題を解決するために本発明の柱カバーの取り付け構造は、外面側に外装材１を貼った外壁パネルＡを外壁パネルＡの側端面間に柱２が介在されるように建物躯体に建て込み、取り付け基板３の外面側に外壁パネルＡの外装材１と同じ厚さの外装材４を貼った柱カバーＢを隣り合う外壁パネルＡの間の柱２の外面側に配置し、外壁パネルＡの枠材５の側端面にこの側端面から側方に突出するようにカバー取り付け材６を取着し、柱カバーＢの外装材４の側端より突出する取り付け片７をカバー取り付け材６の外面に沿わせると共に取り付け片７からカバー取り付け材６に固着具８を打入して柱カバーＢを取り付けた柱カバーの取り付け構造であって、カバー取り付け材６の外面側に外壁パネルＡの側端面から離れるほど屋内側に凹没する傾斜面１１を設けると共に柱カバーＢの取り付け片７を先端ほど屋外側に行くように傾斜させて取り付け片７を上記傾斜面１１に沿わせたことを特徴とする。
【０００６】
上記のようにカバー取り付け材６に傾斜面１１を設けておけば、柱カバーＢの取り付け片７を傾斜面１１に沿わせて取り付けることにより柱カバーＢの取り付け基板３の厚さ分の寸法を吸収して外壁パネルＡの外装材１の外面と柱カバーＢの外装材４の外面とが面一になるように柱カバーＢが取り付けられる。
【発明の効果】
【０００７】
本発明は叙述の如く構成されているので、外壁パネルの外装材の外面と柱カバーの外装材の外面とが面一になるように施工できて柱カバーを外観よく取り付けことができるという効果があり、しかもカバー取り付け材に傾斜面を設けておけばこの傾斜面に沿わせて柱カバーの取り付け片を取り付けるだけで外壁パネルの外装材と柱カバーの外装材とを面一にできて構造を簡単にできるという効果があり、さらに傾斜面を加工するといえども木質材のカバー取り付け材に加工するために従来のように窯業系材料を削ったりするのに比べて加工が容易になると共にコストがかからないという効果がある。
【発明を実施するための最良の形態】
【０００８】
以下、本発明を添付図面に示す実施形態に基いて説明する。図１に示す外壁パネルＡは木質材の枠材５を枠組みした枠体の屋外側に窯業系外装材のような外装材１を貼ると共に枠体の屋内側に内装材を貼って形成されている。本例の場合、枠材５は屋外側枠材部５ａと屋内側枠材部５ｂとで構成されている。この屋外側枠材部５ａと屋内側枠材部５ｂとの間の部分では外壁パネルＡ内を全面に亙って仕切るように通気性防水シート１２を貼ってあり、通気性防水シート１２と内装材との間にはグラスウールのような断熱材１３を装填してあり、外装材１と通気性防水シート１２との間は通気空間１４となっている。外壁パネルＡの外装材１の側端の外面側には面取り１ａを施してある。
【０００９】
この外壁パネルＡは建物躯体に建て込まれるのであるが、隣り合う外壁パネルＡの側端間に柱２が位置するように外壁パネルＡが建て込まれる。隣り合う外壁パネルＡ間の柱２の屋外側は柱カバーＢが取り付けられて仕舞われるようになっている。柱カバーＢは金属板の取り付け基板３の屋外側に窯業系の外装材４を一体に設けて形成されており、取り付け基板３の両側の取り付け片７が外装材４の両側から側方に突出している。この柱カバーＢの外装材４は外壁パネルＡの外装材１と同じ材質であり、厚さも同じ厚さになっている。また柱カバーＢの両側の取り付け片７は図２（ａ）に示すように先端ほど屋外側に行くように傾斜している。また柱カバーＢの外装材４の側端の外面側にも面取り４ａを設けてある。
【００１０】
柱カバーＢを取り付けるとき、外壁パネルＡの枠材５の屋外側枠材部５ａの側端面に沿って木質材のカバー取り付け材６が沿わせられ、釘等の固着具１５を打入することで取り付けられる。このカバー取り付け材６は屋外側枠材部５ａと内外方向の厚みが同じになるように形成されており、このカバー取り付け材６の外面には枠材５の側端面から離れるほど屋内側に凹没する傾斜面１１が図２（ｂ）に示すように長手方向全長に亙って設けられている。この傾斜面１１は最も屋内側に凹没する部分で取り付け基板３の厚さ程度凹没するように設けてある。本例の場合、傾斜面１１にて形成される凹部の深さが取り付け基板３の厚さと同じ厚さになった位置から平坦面１６となっている。カバー取り付け材６に傾斜面１１を形成するとき切削等で形成されるが、カバー取り付け材６は木質材にて形成されているために容易に形成することができる。またカバー取り付け材６を外壁パネルＡの枠材５の屋外側枠材部５ａに取り付けとき、カバー取り付け材６と屋外側枠材部５ａの外面側の位置が揃うように取り付けられる。
【００１１】
柱カバーＢを取り付ける場合、隣り合う外壁パネルＡ間の柱２の外面側にグラスウール等の断熱材１７が装填され、断熱材１７の屋外側に柱カバーＢを被せるように配置される。このとき、柱カバーＢの取り付け片７がカバー取り付け材６の外面の傾斜面１１に沿わせられ、取り付け片７から釘、ビス等の固着具８がカバー取り付け材６に打入されて取り付けられる。このように柱カバーＢを取り付けると、カバー取り付け材６の傾斜面１１に取り付け片６が沿うように取り付けられることにより柱カバーＢが取り付け基板３の厚さ分だけ屋内側に引っ込むように取り付けられ、外装材４の裏面側に取り付け基板３があっても外壁パネルＡの外装材１の外面と柱カバーＢの外装材４の外面が面一になるように取り付けられ、外観よく柱カバーＢが取り付けられる。
【００１２】
また柱カバーＢを取り付けるとき、外壁パネルＡの外装材１の側端と柱カバーＢの外装材４の側端との間の目地幅Ｗが図３のように狭い（例えば８ｍｍ）場合、図４に示すように普通（例えば１０ｍｍ）の場合、図５に示すように広い（例えば１２ｍｍ）の場合であっても、傾斜面１１に加えて平坦面１６を設けてあるために外壁パネルＡの外装材１の外面と柱カバーＢの外装材４の外面とが面一になるように取り付けることができる。
【００１３】
なお、目地溝には必要に応じて目地材が装填される。
【図面の簡単な説明】
【００１４】
【図１】本発明の柱カバー取り付け構造の実施の形態の一例を示す横断面図である。
【００１５】
【図２】（ａ）は同上の柱カバーの要部を拡大せる断面図、（ｂ）はカバー取り付け材の拡大せる断面図である。
【図３】図１の要部を拡大せる横断面図である。
【図４】同上の目地幅の異なる場合の横断面図である。
【図５】同上の目地幅の異なる場合の横断面図である。
【図６】従来例の横断面図である。
【符号の説明】
【００１６】
Ａ  外壁パネル
Ｂ  柱カバー  
１  外装材
２  柱
３  取り付け基板
４  外装材
５  枠材
６  カバー取り付け材
７  取り付け片
８  固着具
１１  傾斜面  
【図１】
2007056631.tif 000003
【図２】
2007056631.tif 000004
【図３】
2007056631.tif 000005
【図４】
2007056631.tif 000006
【図５】
2007056631.tif 000007
【図６】
2007056631.tif 000008